(57)【要約】      （修正有）【課題】色相のずれを軽減しつつ視野闘争を軽減したアナグリフ画像を生成する。【解決手段】画像に含まれる画素毎に、第１の色成分の画素値と該第１の色成分以外の他の色成分のうち少なくとも一方の画素値との差を変更し、かつ他の色成分同士の画素値の差を変更する画素値変換部を備える。前記画素値変換部には差分算出部を備え、前記画素値変換部は、各画素において、前記差分算出部が算出した差分に基づいて、前記第１の色成分の画素値と前記他の色成分の画素値の差及び前記他の色成分同士の画素値の差を小さくする。【選択図】図２
2013102384.tif 000002
【特許請求の範囲】
【請求項１】
画像に含まれる画素毎に、第１の色成分の画素値と該第１の色成分以外の他の色成分のうち少なくとも一方の画素値との差を変更し、かつ前記他の色成分同士の画素値の差を変更する画素値変換部を備えることを特徴とする画像処理装置。
【請求項２】
前記画素値変換部は、画像に含まれる画素毎に、前記第１の色成分の画素値と該第１の色成分以外の他の色成分のうち少なくとも一方の画素値との差を小さくし、かつ前記他の色成分同士の画素値の差を小さくすることを特徴とする請求項１に記載の画像処理装置。
【請求項３】
前記画素値変換部は、前記第１の色成分の画素値と前記他の色成分の画素値の差及び前記他の色成分同士の画素値の差を類似した割合で小さくすることを特徴とする請求項２に記載の画像処理装置。
【請求項４】
前記画素値変換部は、前記第１の色成分の画素値と前記他の色成分の画素値の差及び前記他の色成分同士の画素値の差を予め決められた割合で小さくすることを特徴とする請求項１から請求項３のいずれか一項に記載の画像処理装置。
【請求項５】
前記第１の色成分の画素値と前記他の色成分の画素値の差分を算出する差分算出部を備え、
前記画素値変換部は、各画素において、前記差分算出部が算出した差分に基づいて、前記第１の色成分の画素値と前記他の色成分の画素値の差及び前記他の色成分同士の画素値の差を小さくすることを特徴とする請求項１から請求項４のいずれか一項に記載の画像処理装置。
【請求項６】
前記画素値変換部は、各画素において、前記差分算出部が算出した差分が大きいほど、前記第１の色成分の画素値と前記他の色成分の画素値の差と、前記他の色成分同士の画素値の差を小さくすることを特徴とする請求項５に記載の画像処理装置。
【請求項７】
前記画素値変換部は、各画素において、前記差分算出部が算出した差分が予め決められた閾値を超えた場合、前記第１の色成分の画素値と前記他の色成分の画素値の差と、前記他の色成分同士の画素値の差を小さくすることを特徴とする請求項５に記載の画像処理装置。
【請求項８】
同一の被写体を異なる二つの位置から撮像することにより得られた二つの画像信号の視差値に基づいて、画素毎に奥行きを示す奥行き情報を算出する奥行き算出部を備え、
前記画素値変換部は、前記奥行き算出部が算出した奥行き情報に基づいて、前記第１の色成分の画素値と前記他の色成分の画素値の差及び前記他の色成分同士の画素値の差を小さくすることを特徴とする請求項１から請求項７のいずれか一項に記載の画像処理装置。
【請求項９】
前記奥行き情報は、値が大きくなるほど前記被写体と撮像装置との距離が長いことを示す情報であり、
前記画素値変換部は、前記奥行き情報が小さくなるほど前記第１の色成分の画素値と前記他の色成分の画素値の差及び前記他の色成分同士の画素値の差を小さくすることを特徴とする請求項８に記載の画像処理装置。
【請求項１０】
前記奥行き情報は、値が大きくなるほど前記被写体と撮像装置との距離が長いことを示す情報であり、
前記画素値変換部は、前記奥行き情報が予め決められた閾値より小さい場合、前記第１の色成分の画素値と前記他の色成分の画素値の差及び前記他の色成分同士の画素値の差を小さくすることを特徴とする請求項８に記載の画像処理装置。
【請求項１１】
請求項１に記載の画像処理装置を備える表示装置。
【請求項１２】
画像処理装置が実行する画像処理方法であって、
画像に含まれる画素毎に、第１の色成分の画素値と該第１の色成分以外の他の色成分のうち少なくとも一方の画素値との差を変更し、かつ前記他の色成分同士の画素値の差を変更する手順を有することを特徴とする画像処理方法。
【請求項１３】
コンピュータに、
画像に含まれる画素毎に、第１の色成分の画素値と該第１の色成分以外の他の色成分のうち少なくとも一方の画素値との差を変更し、かつ前記他の色成分同士の画素値の差を変更するステップを実行させるための画像処理プログラム。
【発明の詳細な説明】
【技術分野】
【０００１】
本発明は、画像処理装置、表示装置、画像処理方法及び画像処理プログラムに関する。
【背景技術】
【０００２】
従来から、アナグリフ方式の３Ｄ表示が知られている。ここで、アナグリフ方式とは、一定間隔を置いた２台のカメラで撮影した画像（以降、それぞれ左目画像/右目画像と呼ぶ）からそれぞれ特定の色成分（赤成分、緑成分、青成分のうち１〜２つ）だけを抽出し、両者を合成する方式である。
【０００３】
例えば、視聴者は、左右にそれぞれ赤フィルタとシアンフィルタが装着された眼鏡越しにアナグリフ画像を見ることにより、左目には赤フィルタを通過した光、右目にはシアンフィルタを通過した光が到達する。ここで、画像の赤成分は赤フィルタを通過するが、シアンフィルタで遮断されるので左目だけに映る。一方、画像の緑成分及び青成分はシアンフィルタを通過するが、赤フィルタで遮断されるので右目だけに映る。この結果、視聴者の左右の目には視差のついたカラーの画像が映るため、視聴者は立体視することができる。
【０００４】
アナグリフ画像の場合、フィルタを通過したフィルタ色に近い色相で、彩度が高い部分は立体視が困難になるという問題がある。これは、各々のカラーフィルタを通過した像の明度（各色成分のうち最大の色成分の画素値）が左右で大きく異なるため、視覚に混乱（以下、「視野闘争」と言う。）が生じるためである。
例えば、ＲＧＢ＝（２５５，１６，３２）という画素値の画素があった場合、赤のフィルタを通過し左目に知覚される値は、（２５５，０，０）で、明度は２５５、シアンのフィルタを通過し右目に知覚される値は、（０，１６，３２）で明度は３２となる。
視野闘争が発生すると、立体視がうまくできなかったり、目に疲労感を与えたりするという問題がある。
【０００５】
その問題に対し、特許文献１の装置は、右カラービデオカメラからの緑及び青画像面と左カラービデオカメラからの赤画像面が結合された出力信号において、各ピクセルのカラー値が青もしくは緑色の第一のしきい値量に足りない時、もしくは赤もしくは緑色の第二のしきい値量に足りない時、青及び／もしくは緑色の量もしくは赤及び／もしくは緑色の量、それぞれがピクセルカラー値に加えられる。結果として，二つのカラービデオカメラからの情報が，赤／青ビューアーを透して観測される時により好ましく感じられる三次元カラービデオ画像に結合されることが示されている。
【先行技術文献】
【特許文献】
【０００６】
【特許文献１】特表平１１−５０４１６７号公報
【発明の概要】
【発明が解決しようとする課題】
【０００７】
しかしながら、特許文献１の装置では、赤成分、緑成分及び青成分のうち特定の色成分にのみ一定値を加えるので、各画素において赤成分、緑成分及び青成分の比率が変化する。その結果、表示される色が本来表示すべき色から変わってしまうので、視聴者は色に違和感を覚えるという問題があった。
【０００８】
そこで本発明は、上記問題に鑑みてなされたものであり、色相のずれを軽減しつつ視野闘争を軽減したアナグリフ画像を生成することを可能とする画像処理装置、表示装置、画像処理方法及び画像処理プログラムを提供することを課題とする。
【課題を解決するための手段】
【０００９】
（１）本発明は前記事情に鑑みなされたもので、本発明の一態様は、画像に含まれる画素毎に、第１の色成分の画素値と該第１の色成分以外の他の色成分のうち少なくとも一方の画素値との差を変更し、かつ前記他の色成分同士の画素値の差を変更する画素値変換部を備えることを特徴とする画像処理装置である。
【００１０】
（２）上記に記載の画像処理装置において、本発明の一態様は、前記画素値変換部は、画像に含まれる画素毎に、前記第１の色成分の画素値と該第１の色成分以外の他の色成分のうち少なくとも一方の画素値との差を小さくし、かつ前記他の色成分同士の画素値の差を小さくすることを特徴とする。
【００１１】
（３）上記に記載の画像処理装置において、本発明の一態様は、前記画素値変換部は、前記第１の色成分の画素値と前記他の色成分の画素値の差及び前記他の色成分同士の画素値の差を類似した割合で小さくすることを特徴とする。
【００１２】
（４）上記に記載の画像処理装置において、本発明の一態様は、前記画素値変換部は、前記第１の色成分の画素値と前記他の色成分の画素値の差及び前記他の色成分同士の画素値の差を予め決められた割合で小さくすることを特徴とする。
【００１３】
（５）上記に記載の画像処理装置において、本発明の一態様は、前記第１の色成分の画素値と前記他の色成分の画素値の差分を算出する差分算出部を備え、前記画素値変換部は、各画素において、前記差分算出部が算出した差分に基づいて、前記第１の色成分の画素値と前記他の色成分の画素値の差及び前記他の色成分同士の画素値の差を小さくすることを特徴とする。
【００１４】
（６）上記に記載の画像処理装置において、本発明の一態様は、前記画素値変換部は、各画素において、前記差分算出部が算出した差分が大きいほど、前記第１の色成分の画素値と前記他の色成分の画素値の差と、前記他の色成分同士の画素値の差を小さくすることを特徴とする。
【００１５】
（７）上記に記載の画像処理装置において、本発明の一態様は、前記画素値変換部は、各画素において、前記差分算出部が算出した差分が予め決められた閾値を超えた場合、前記第１の色成分の画素値と前記他の色成分の画素値の差と、前記他の色成分同士の画素値の差を小さくすることを特徴とする。
【００１６】
（８）上記に記載の画像処理装置において、本発明の一態様は、同一の被写体を異なる二つの位置から撮像することにより得られた二つの画像信号の視差値に基づいて、画素毎に奥行きを示す奥行き情報を算出する奥行き算出部を備え、前記画素値変換部は、前記奥行き算出部が算出した奥行き情報に基づいて、前記第１の色成分の画素値と前記他の色成分の画素値の差及び前記他の色成分同士の画素値の差を小さくすることを特徴とする。
【００１７】
（９）上記に記載の画像処理装置において、本発明の一態様は、前記奥行き情報は、値が大きくなるほど前記被写体と撮像装置との距離が長いことを示す情報であり、前記画素値変換部は、前記奥行き情報が大きくなるほど前記第１の色成分の画素値と前記他の色成分の画素値の差及び前記他の色成分同士の画素値の差を小さくすることを特徴とする。
【００１８】
（１０）上記に記載の画像処理装置において、本発明の一態様は、前記奥行き情報は、値が大きくなるほど前記被写体と撮像装置との距離が長いことを示す情報であり、前記画素値変換部は、前記奥行き情報が予め決められた閾値より大きい場合、前記第１の色成分の画素値と前記他の色成分の画素値の差及び前記他の色成分同士の画素値の差を小さくすることを特徴とする。
【００１９】
（１１）本発明の一態様は、上記に記載の画像処理装置を備える表示装置である。
【００２０】
（１２）本発明の一態様は、画像処理装置が実行する画像処理方法であって、画像に含まれる画素毎に、第１の色成分の画素値と該第１の色成分以外の他の色成分のうち少なくとも一方の画素値との差を変更し、かつ前記他の色成分同士の画素値の差を変更する手順を有することを特徴とする画像処理方法である。
【００２１】
（１３）本発明の一態様は、コンピュータに、画像に含まれる画素毎に、第１の色成分の画素値と該第１の色成分以外の他の色成分のうち少なくとも一方の画素値との差を変更し、かつ前記他の色成分同士の画素値の差を変更するステップを実行させるための画像処理プログラムである。
【発明の効果】
【００２２】
本発明によれば、色相のずれを軽減しつつ視野闘争を軽減したアナグリフ画像を生成することができる。
【図面の簡単な説明】
【００２３】
【図１】第１の実施形態における表示装置の概略ブロック図である。
【図２】第１の実施形態における画像処理部の概略ブロック図である。
【図３】画像処理部に入力される画像信号が示す画像の一例である。
【図４】図３の左目画像１０１と右目画像１０２が入力された場合に、第１の実施形態における画像処理部から出力される画像の一例である。
【図５】第１の実施形態における表示装置の処理の流れを示すフローチャートである。
【図６】図５のステップＳ１０２における画像処理の詳細を示すフローチャートである。
【図７】第１の実施形態の変形例における表示装置の概略ブロック図である。
【図８】第１の実施形態の変形例における画像処理部の概略ブロック図である。
【図９】第１の実施形態の変形例における画像処理の詳細を示すフローチャートである。
【図１０】第２の実施形態における表示装置の概略ブロック図である。
【図１１】第２の実施形態における画像処理部の概略ブロック図である。
【図１２】図３の左目画像１０１と右目画像１０２が入力された場合に、第２の実施形態における画像処理部から出力される画像の一例である。
【図１３】第２の実施形態における画像処理の詳細を示すフローチャートである。
【図１４】第２の実施形態の変形例における表示装置の概略ブロック図である。
【図１５】第２の実施形態の変形例における画像処理部の概略ブロック図である。
【図１６】第２の実施形態の変形例における画像処理の詳細を示すフローチャートである。
【図１７】第３の実施形態における表示装置の概略ブロック図である。
【図１８】第３の実施形態における画像処理部の概略ブロック図である。
【図１９】第３の実施形態における画像処理の詳細を示すフローチャートである。
【図２０】第３の実施形態の変形例における表示装置の概略ブロック図である。
【図２１】第３の実施形態の変形例における画像処理部の概略ブロック図である。
【図２２】第３の実施形態の変形例における画像処理の詳細を示すフローチャートである。
【図２３】第４の実施形態における撮像装置の概略ブロック図である。
【図２４】第５の実施形態における印刷装置の概略ブロック図である。
【発明を実施するための形態】
【００２４】
＜第１の実施形態＞
以下、本発明の実施形態について、図面を参照して詳細に説明する。
図１は、第１の実施形態における表示装置１の概略ブロック図である。
表示装置１は、表示部７と、画像処理部１０とを備える。また、撮像装置３は、左目画像撮像部３Ｌと、右目画像撮像部３Ｒとを備える。
左目画像撮像部３Ｌは、撮像装置３内において撮影の対象となる被写体に向かって左側に位置し、右目画像撮像部３Ｒは、撮像装置３内において撮影の対象となる被写体に向かって右側に位置する。したがって、左目画像撮像部３Ｌ及び右目画像撮像部３Ｒは、撮像装置３内において被写体に向かって左右に隔離して位置する。
【００２５】
左目画像撮像部３Ｌは、被写体を撮像して左目画像を生成し、生成した画像の赤成分、緑成分及び青成分の各成分の画素値を示す左目画像信号ＲＧＢＬを画像処理部１０へ供給する。また、右目画像撮像部３Ｒは、被写体を撮像して右目画像を生成し、生成した画像の各成分の画素値を示す右目画像信号ＲＧＢＲを画像処理部１０へ供給する。
【００２６】
続いて、画像処理部１０について説明する。
赤成分の画素値Ｒ、緑成分の画素値Ｇ及び青成分の画素値Ｂで表わされる色の色相Ｈの定義は、一例として以下の式（１）で表わされる。
【００２７】
Ｈ＝ｍ（Ｇ−Ｂ）／（Ｒ−Ｂ）＋ｎ                            （１）
【００２８】
ここで、ｍ、ｎは正規化のための定数である。式（１）は、Ｒ≧Ｇ≧Ｂの場合の定義だが、他の場合もＲ、Ｇ、Ｂが入れ替わるだけで形式は同様である。色相は、彩度、明度と共に色の性質を表す尺度で、色合いを表す成分である。色相の値が近い色同士は同系統の色として認識される。
式（１）において、分母が３色の画素値のうちの最大値（ここでは、Ｒ）と３色の画素値のうちの最小値（ここでは、Ｂ）の差であり、分子が３色の画素値のうちの中央値（Ｇ）と３色の画素値のうちの最小値（ここでは、Ｂ）の差である。すなわち、式（１）は、最大値と最小値の差と中間値と最小値の差の比率つまりは三色の混合比を示している。
【００２９】
画像処理部１０は、各画素の第１の色成分の画素値（例えば、Ｒ）と第１の色成分以外の成分の画素値（例えば、Ｂ）との差（例えば、Ｒ−Ｂ）と、第１の色成分以外の成分同士の画素値の差（例えば、Ｇ−Ｂ）を同じ割合（例えば、ａ）で小さくする。
【００３０】
具体的には、例えば、画像処理部１０が変換した後の各色成分の画素値を赤、緑、青の順にそれぞれＲ’、Ｇ’、Ｂ’とすると、画像処理部１０は、０≦ａ≦１である係数ａを用いて、下記の式（３）の関係が成り立つように変換する。
【００３１】
Ｒ’−Ｂ’＝ａ（Ｒ−Ｂ）
Ｇ’−Ｂ’＝ａ（Ｇ−Ｂ）                                    （２）
【００３２】
式（２）の定義から、変換後の赤成分の画素値（以下、変換後赤画素値と称する）Ｒ’と変換後の青成分の青画素値（以下、変換後青画素値と称する）Ｂ’の差は、変換前赤画素値Ｒと変換前青画素値Ｂの差より小さい。また、変換後の緑成分の画素値（以下、変換後緑画素値と称する）Ｇ’と変換後青画素値Ｂ’の差は、変換前緑画素値Ｇと変換前青画素値Ｂの差より小さい。
変換後赤画素値Ｒ’と変換後緑画素値Ｇ’の差は、下記の式（３）にように表される。
【００３３】
Ｒ’−Ｇ’＝Ｒ’−Ｂ’−（Ｇ’−Ｂ’）
＝ａ（Ｒ−Ｂ）−ａ（Ｇ−Ｂ）
＝ａ（Ｒ−Ｇ）                                    （３）
【００３４】
画像処理部１０が、式（２）の関係が成り立つように変換することにより、変換後赤画素値Ｒ’と変換後緑画素値Ｇ’の差は、変換前赤画素値Ｒと変換前緑画素値Ｇの差より小さくなる。すなわち、画像処理部１０は、第１の色の画素値（例えば、Ｒ）と第１の色成分以外の他の色成分のうち少なくとも一方の画素値（例えば、Ｂ）との差を小さくし、かつ他の色成分同士の画素値（例えば、ＧとＢ）の差を小さくすれば、第１の色の画素値（例えば、Ｒ）と他の色成分のうちの他方の画素値（例えば、Ｇ）との差を小さくすることができる。
【００３５】
これにより、画像処理部１０は、第１の色の画素値（例えば、Ｒ）と第１の色以外の色の画素値（例えば、Ｇ、Ｂ）との差を小さくできるため、視野闘争を低減できる。
ここで、前述の色相の定義の式（１）と同様に、変換後の色相Ｈ’を求めると、下記の式（４）が得られる。
【００３６】
Ｈ’＝ｍ（Ｇ’−Ｂ’）／（Ｒ’−Ｂ’）＋ｎ
＝ｍａ（Ｇ−Ｂ）／ａ（Ｒ−Ｂ）＋ｎ
＝ｍ（Ｇ−Ｂ）／（Ｒ−Ｂ）＋ｎ＝Ｈ                      （４）
【００３７】
式（５）の通り、変換後の色相Ｈ’は変換前の色相Ｈと等しい。これにより、変換前後で色相が変化しないので、画像処理部１０は、各画素において色相を維持することができる。その結果、画像処理部１０は、色相を維持しつつ視野闘争を低減できるので、視聴者が心地よく見ることができるアナグリフ画像を提示することができる。
【００３８】
以降の説明では、一例として、眼鏡の両眼のフィルタ色の組み合わせが赤（Ｒ）−シアン（Ｇ＋Ｂ）で、かつ、画像中で赤の画素値が他の色の画素値よりも大きい場合について説明する。なお、色成分の組み合わせはこれに限らず、色成分の組み合わせは、赤、緑及び青の３色の色成分が異なるもの（例えば、青‐黄の組あわせ又は緑‐マゼンタの組み合わせ）であったり、主に印刷物で使用されるＣＭＹ（Ｃｙａｎ，Ｍａｇｅｎｔａ，Ｙｅｌｌｏｗ）、あるいはＣＭＹＫ（ＣＭＹ＋Ｋｅｙ）のような他の表色系であったりしても、フルカラー像を構成する全ての原色成分が眼鏡の両眼のフィルタのいずれかに含まれるフルカラーアナグリフであればよい。その場合、視野闘争を起こす色も、赤（Ｒ）−シアン（Ｇ＋Ｂ）の組み合わせの場合の色とは異なる。
【００３９】
本実施形態では、一例として、前述のとおり、画像処理部１０は、各画素の変換前赤画素値Ｒと変換前赤画素値Ｒ以外の成分の変換前青画素値Ｂとの差（Ｒ−Ｂ）と、変換前赤画素値Ｒ以外の成分同士の画素値の差（Ｇ−Ｂ）を同じ割合ａで小さくする。
そして、画像処理部１０は、変換後の画像信号Ｒ’Ｇ’Ｂ’を表示部７に出力する。そして、表示部７は、変換後の画像信号Ｒ’Ｇ’Ｂ’を表示する。
【００４０】
続いて、図２を用いて画像処理部１０の処理の詳細について説明する。
図２は、第１の実施形態における画像処理部１０の概略ブロック図である。
画像処理部１０は、画素値変換部１１と信号合成部１５とを備える。画素値変換部１１は赤変換部１２と、緑変換部１３と、青変換部１４とを備える。図２には、左目画像撮像部３Ｌ、右目画像撮像部３Ｒ及び記憶部４も併せて示す。
【００４１】
画素値変換部１１は、左目画像撮像部３Ｌから供給された左目画像信号ＲＧＢＬと、右目画像撮像部３Ｒから供給された右目画像信号ＲＧＢＲを受け取る。左目画像信号ＲＧＢＬは、赤成分の画素値ＲＬ、緑成分の画素値ＧＬ及び青成分の画素値ＢＬを含む。右目画像信号ＲＧＢＲは、赤成分の画素値ＲＲ、緑成分の画素値ＧＲ及び青成分の画素値ＢＲを含む。
画素値変換部１１は、各画素において、赤成分の画素値と赤以外の他の色成分の画素値との差を予め決められた割合で小さくし、かつ、他の色成分同士の画素値の差を上記予め決められた割合で小さくする。
【００４２】
実際の画像処理回路では、赤変換部１２は、下記の式（５）に従って、赤成分の画素値の変換を行うことができる。しかし、この方法に限定されない。
【００４３】
Ｒ’Ｌ＝ＲＬ−α（ＲＬ−ＧＬ）−α（ＲＬ−ＢＬ）          （５）
【００４４】
ここで、αは係数である。Ｒ’Ｌは変換後の赤成分の画素値（以下、「変換後赤画素値」と言う。）であり、ＲＬは左目画像の赤成分の画素値であり、ＧＬは左目画像の緑成分の画素値であり、ＢＬは左目画像の青成分の画素値である。
変換後、赤変換部１２は、変換により得られた変換後赤画素値Ｒ’Ｌを示す信号を信号合成部１５へ供給する。
同様にして、緑変換部１３は、下記の式（７）に従って、緑成分の画素値の変換を行う。
【００４５】
Ｇ’Ｒ＝ＧＲ−α（ＧＲ−ＢＲ）−α（ＧＲ−ＲＲ）                  （６）
【００４６】
ここで、Ｇ’Ｒは右目画像の緑成分の画素値（以下、「変換後緑画素値」と言う。）であり、ＲＲは右目画像の赤成分の画素値であり、ＧＲは右目画像の緑成分の画素値であり、ＢＲは右目画像の青成分の画素値である。
変換後、緑変換部１３は、変換により得られた変換後緑画素値Ｇ’Ｒを示す信号を信号合成部１５へ供給する。
同様にして、青変換部１４は、下記の式（７）に従って、青成分の画素値の変換を行う。
【００４７】
Ｂ’Ｒ＝ＢＲ−α（ＢＲ−ＲＲ）−α（ＢＲ−ＧＲ）                  （７）
【００４８】
ここで、Ｂ’Ｒは変換後の青成分の画素値（以下、「変換後青画素値」と言う。）である。
変換後、青変換部１４は、変換により得られた変換後青画素値Ｂ’Ｒを示す信号を信号合成部１５へ供給する。
【００４９】
信号合成部１５は、赤変換部１２から供給された変換後赤画素値Ｒ’Ｌを示す信号と、緑変換部１３から供給された変換後緑画素値Ｇ’Ｒを示す信号と、青変換部１４から供給された変換後青画素値Ｂ’Ｒを示す信号とを合成する。
具体的には、信号合成部１５は、各画素の各色成分が、変換後赤画素値Ｒ’Ｌと変換後緑画素値Ｇ’Ｒと変換後青画素値Ｂ’Ｒからなるように信号を合成する。信号合成部１５は、合成により得られた合成信号Ｒ’Ｇ’Ｂ’を記憶部４に記憶させる。
【００５０】
ここで、一例としてＲＬ＝ＲＲ＝Ｒ、ＢＬ＝ＢＲ＝Ｂ、ＧＬ＝ＧＲ＝Ｇとし、式（５）と式（７）の関係を用いて変換後の各色成分の差を計算すると、下記の式（８）が得られる。
【００５１】
Ｒ’−Ｂ’＝Ｒ−α（Ｒ−Ｇ）−α（Ｒ−Ｂ）−Ｂ＋α（Ｂ−Ｒ）＋α（Ｂ−Ｇ）
＝（１−３α）（Ｒ−Ｂ）
Ｇ’−Ｂ’＝Ｇ−α（Ｇ−Ｂ）−α（Ｇ−Ｒ）−Ｂ＋α（Ｂ−Ｒ）＋α（Ｂ−Ｇ）
＝（１−３α）（Ｇ−Ｂ）                          （８）
【００５２】
ここで、０≦α≦１／３の範囲で  式（２）における係数ａを１−３αに置き換えることで、式（８）の右辺が得られる。従って、式（５）〜（７）に従って、各色成分の画素値を変換することは、式（３）に従って各色成分の画素値を変換することと同等の処理である。
式（８）によれば、係数αが大きいほどより色成分の差が小さくなる。また、α＝０の時は無変換（Ｒ’＝Ｒ、Ｇ’＝Ｇ、Ｂ’＝Ｂ）で、α＝１／３の時にはＲ＝Ｇ＝Ｂで、各色成分の画素値差が０すなわち無彩色になる。
【００５３】
続いて、図３と図４を用いて、画像処理部１０により処理結果の一例を説明する。
図３は、画像処理部１０に入力される画像信号が示す画像の一例である。同図において、左目画像１０１と、右目画像１０２とが示されている。
図４は、図３の左目画像１０１と右目画像１０２が入力された場合に、第１の実施形態における画像処理部１０から出力される画像の一例である。同図において、視野闘争対策のないアナグリフ画像１０３と、本実施形態の画像処理部１０の出力画像１０４とが示されている。
図３と図４それぞれにおいて、符号「１」が付された太陽を模した画像領域と、符号「２」が付された星を模した画像領域と、符号「３」が付された月を模した画像領域と、符号「４」が付された正五角形の画像領域とが示されている。
【００５４】
ここで、視野闘争対策のないアナグリフ画像１０３（図４）は、左目画像１０１の赤成分と、右目画像１０２の緑成分及び青成分を合成したものである。例えば、視野闘争対策のないアナグリフ画像１０３中の符号「１」が付された太陽を模した画像領域は赤く、赤成分の画素値とそれ以外の画素値との差が大きい。ゆえに、表示装置１の視聴者が、左目用の赤のフィルタと右目用のシアンのフィルタを備える眼鏡を通して、その符号「１」が付された太陽を模した画像領域を見た場合に、視野闘争がおこりやすい。
【００５５】
一方、画像処理部１０の出力画像１０４（図４）中の符号「１」が付された太陽を模した画像領域は、視野闘争対策のないアナグリフ画像１０３中（図４）の符号「１」が付された太陽を模した画像領域よりも、赤成分の画素値とそれ以外の画素値との差が小さい。ゆえに、表示装置１の視聴者が、左目用の赤のフィルタと右目用のシアンのフィルタを備える眼鏡を通して、出力画像１０４中の符号「１」が付された太陽を模した画像領域を見た場合に、視野闘争がおこりにくい。また、画像処理部１０の出力画像１０４中の符号「１」が付された太陽を模した画像領域の色相は、左目画像１０１（図３）中の符号「１」が付された太陽を模した画像領域の色相と同一である。
【００５６】
図５は、第１の実施形態における表示装置１の処理の流れを示すフローチャートである。
まず、撮像装置３は、左目画像及び右目画像を撮像する（ステップＳ１０１）。
次に、画像処理部１０は、左目画像信号ＲＧＢＬ及び右目画像信号ＲＧＢＲに画像処理を施す（ステップＳ１０２）。この画像処理は、後で詳述する。表示部７は、画像処理により得られた変換後の画像信号Ｒ’Ｇ’Ｂ’が示す変換後の画像を表示する（ステップＳ１０３）。以上で、本フローチャートの処理を終了する。
【００５７】
図６は、図５のステップＳ１０２における画像処理の詳細を示すフローチャートである。
まず、画素値変換部１１は、赤成分の画素値と赤以外の他の色成分の画素値との差、及び他の色成分同士の画素値の差を、予め決められた割合で小さくする（ステップＳ２０１）。次に、信号合成部１５は、変換後赤信号、変換後緑信号及び変換後青信号を合成する（ステップＳ２０２）。以上で、本フローチャートの処理を終了する。
【００５８】
以上、本実施形態の画素値変換部１１は、赤成分の画素値と赤以外の他の色成分の画素値との差、及び他の色成分同士の画素値の差を、予め決められた同一の割合で小さくする。
これにより、画像処理部１０は、第１の色の画素値（例えば、Ｒ）と第１の色以外の色の画素値（例えば、Ｇ、Ｂ）との差を小さくできるため、視野闘争を低減できる。それとともに、画像処理部１０は、変換前後で色相の変化をなくすことができるので、画像処理部１０は、各画素において色相を維持することができる。その結果、画像処理部１０は、色相を維持しつつ視野闘争を低減できるので、視聴者が心地よく見ることができるアナグリフ画像を生成することができる。
【００５９】
＜第１の実施形態の変形例＞
続いて、第１の実施形態の変形例について説明する。図７は、第１の実施形態の変形例における表示装置１ｂの概略ブロック図である。
表示装置１ｂは、表示部７と、画像処理部１０ｂとを備える。
表示装置１ｂと表示装置１（図１）とを比較すると、前者では後者の画像処理部１０が画像処理部１０ｂになっていて相違するが、表示部７は、同じである。したがって、同じ構成のものの具体的な説明を省略し、以下では画像処理部１０ｂについて説明をする。
【００６０】
図８は、第１の実施形態の変形例における画像処理部１０ｂの概略ブロック図である。
画像処理部１０ｂは、画素値変換部１１ｂと、信号合成部１５と、色成分抽出部２０とを備える。図８には、左目画像撮像部３Ｌ、右目画像撮像部３Ｒ及び記憶部４も併せて示す。
画像処理部１０ｂを画像処理部１０（図２）と比較すると、前者には後者にはない色成分抽出部２０が付加されており、また、前者と後者とでは、画素値変換部１１ｂと信号合成部１５の接続関係が相違する。しかし、前者の画素値変換部１１ｂと信号合成部１５の動作は、後者の画素値変換部１１と信号合成部１５の動作と同じである。
【００６１】
色成分抽出部２０は、赤成分抽出部２１と、緑成分抽出部２２と、青成分抽出部２３とを備える。
赤成分抽出部２１は、左目画像撮像部３Ｌから供給された左目画像信号ＲＧＢＬから赤成分の画素値（左目画像赤画素値）ＲＬを抽出する。そして、赤成分抽出部２１は、抽出した左目画像赤画素値ＲＬを示す信号を信号合成部１５へ供給する。
【００６２】
また、緑成分抽出部２２は、右目画像撮像部３Ｒから供給された右目画像信号ＲＧＢＲから緑成分の画素値（右目画像緑画素値）ＧＲを抽出する。そして、緑成分抽出部２２は、抽出した右目画像緑画素値ＧＲを示す信号を信号合成部１５へ供給する。
また、青成分抽出部２３は、右目画像撮像部３Ｒから供給された右目画像信号ＲＧＢＲから青成分の画素値（右目画像青画素値）ＢＲを抽出する。そして、青成分抽出部２３は、抽出した右目画像青画素値ＢＲを示す信号を信号合成部１５へ供給する。
【００６３】
画素値変換部１１ｂは、信号合成部１５から供給された合成信号ＲＧＢの各成分に対して、以下の式（９）〜（１１）に従って画素値の変換を施す。
【００６４】
Ｒ’＝ＲＬ−α（ＲＬ−ＧＲ）−α（ＲＬ−ＢＲ）          （９）  
Ｇ’＝ＧＲ−α（ＧＲ−ＢＲ）−α（ＧＲ−ＲＬ）          （１０）
Ｂ’＝ＢＲ−α（ＢＲ−ＲＬ）−α（ＢＲ−ＧＲ）          （１１）
【００６５】
ここで、Ｒ’は変換後の赤成分の画素値で、Ｇ’は、変換後の緑成分の画素値で、Ｂ’は、変換後の青成分の画素値である。
すなわち、画素値変換部１１ｂは、赤成分の画素値ＲＬと赤以外の他の色成分の画素値（ＧＲ又はＢＲ）との差、及び他の色成分同士の画素値（ＧＲとＢＲ）の差を、予め決められた同一の割合で小さくする。そして、画素値変換部１１ｂは、変換後の信号Ｒ’Ｇ’Ｂ’を記憶部４に記憶させる。
【００６６】
第１の実施形態の変形例における表示装置１ｂ全体の処理の流れは、第１の実施形態の表示装置１の処理の流れ（図５に示すもの）と比較して、ステップＳ１０２の「画像処理」を除いて、同一である。したがって、その全体の処理の流れの説明を省略し、以下で専ら「画像処理」の説明をする。
図９は、第１の実施形態の変形例における「画像処理」の詳細を示すフローチャートである。
まず、色成分抽出部２０は、左目画像の赤成分の画素値を示す信号と、右目画像の緑成分の信号及び青成分の信号を抽出する（ステップＳ３０１）。次に、信号合成部１５は、抽出した赤信号、緑信号及び青信号を合成する（ステップＳ３０２）。次に、画素値変換部１１ｂは、赤成分の画素値と赤以外の他の色成分の画素値との差、及び他の色成分同士の画素値の差を、予め決められた同一の割合で小さくする（ステップＳ３０３）。以上で、本フローチャートの「画像処理」を終了する。
【００６７】
以上、画像処理部１０ｂは、左目画像の赤成分の画素値を示す信号と、右目画像の緑成分の信号及び青成分の信号とを合成する。そして、画像処理部１０ｂは、合成により得られた合成信号について、赤成分の画素値と赤以外の他の色成分の画素値との差、及び他の色成分同士の画素値の差を、予め決められた同一の割合で小さくする。
【００６８】
これにより、画像処理部１０は、第１の色の画素値（例えば、Ｒ）と第１の色以外の色の画素値（例えば、Ｇ、Ｂ）との差を小さくできるため、視野闘争を低減できる。それとともに、画像処理部１０は、画素値の変換前後で色相が変化しないので、画像処理部１０は、各画素において色相を維持することができる。その結果、画像処理部１０は、色相を維持しつつ視野闘争を低減できるので、視聴者が心地よく見ることができるアナグリフ画像を生成することができる。
【００６９】
＜第２の実施形態＞
続いて、第２の実施形態における表示装置１ｃについて説明する。
図１０は、第２の実施形態における表示装置１ｃの概略ブロック図である。
表示装置１ｃは、表示部７と、画像処理部１０ｃとを備える。
図１０に示す表示装置１ｃと図１に示す表示装置１とを比較すると、後者の画像処理部１０が前者では画像処理部１０ｃとなっていて相違するが、表示部７は同じである。従って、同じ構成のものの説明は省略する。
【００７０】
図１１は、第２の実施形態における画像処理部１０ｃの概略ブロック図である。
画像処理部１０ｃは、画素値変換部１１ｃと、信号合成部１５と、差分算出部３１とを備える。画素値変換部１１ｃは、赤変換部１２と、緑変換部１３と、青変換部１４と、係数算出部３２とを備える。係数算出部３２は、第１の係数算出部３２Ｌと、第２の係数算出部３２Ｒとを備える。差分算出部３１は、第１の差分算出部３１Ｌと、第２の差分算出部３１Ｒとを備える。図１１には、左目画像撮像部３Ｌ、右目画像撮像部３Ｒ及び記憶部４も併せて示す。
【００７１】
画像処理部１０ｃと画像処理部１０（図２）とを比較すると、前者には後者にはない差分算出部３１が付加されていること、そして前者の画素値変換部１１ｃには、後者の画素値変換部１１には存在しない係数算出部３２が付加されていることが相違する。しかし、その他の構成（赤変換部１２、緑変換部１３、青変換部１４、信号合成部１５）は同じである。したがって、同じ構成のものは説明を以下では省略することがある。
【００７２】
差分算出部３１は、画素毎に第１の色成分と他の色成分との差を算出する。ここで、差分算出部３１は、第１の差分算出部３１Ｌと、第２の差分算出部３１Ｒとを備える。
第１の差分算出部３１Ｌは、左目画像撮像部３Ｌから供給された左目画像信号ＲＧＢＬから、各画素における赤成分の画素値ＲＬと緑成分の画素値ＧＬと青成分の画素値ＢＬとを抽出する。そして、第１の差分算出部３１Ｌは、画素毎に、赤成分の画素値ＲＬとその他の成分の画素値（緑成分の画素値ＧＬ又は／及び青成分の画素値ＢＬ）との差である第１の差分ＳＬを算出する。具体的には、例えば、第１の差分算出部３１Ｌは、以下の式（１３）に従って、第１の差分ＳＬを算出する。
【００７３】
ＳＬ＝ＲＬ−（ＧＬ＋ＢＬ）／２                                  （１２）
【００７４】
ここで、第１の差分ＳＬが正の値になるのは、赤成分の画素値ＲＬが、緑成分の画素値ＧＬと青成分の画素値ＢＬの平均よりも大きい場合である。また、ＳＬの値が１に近いほど赤成分の画素値ＲＬが他の色成分の画素値に比べてより大きいので、赤成分と他の色成分の画素値差が大きい。
また、逆に第１の差分ＳＬが負の値になるのは、他の色成分の画素値が赤成分の画素値ＲＬよりも大きい場合であり、ＳＬの値が−１に近いほど他の色成分の画素値が赤成分の画素値ＲＬに比べてより大きいので、赤成分と他の色成分の画素値差が大きい。
【００７５】
そして、第１の差分算出部３１Ｌは、算出した第１の差分ＳＬを示す信号を画素値変換部１１ｃの係数算出部３２の第１の係数算出部３２Ｌへ供給する。
なお、式（１２）は一例であって、第１の色成分と他の色成分との差が大きいほど、第１の差分ＳＬの絶対値が大きくなればよい。
【００７６】
同様に、第２の差分算出部３１Ｒは、右目画像撮像部３Ｒから供給された右目画像信号ＲＧＢＲから、各画素における赤成分の画素値ＲＲと緑成分の画素値ＧＲと青成分の画素値ＢＲとを抽出する。そして、第２の差分算出部３１Ｒは、画素毎に、赤成分の画素値ＲＲとその他の成分の画素値（緑成分の画素値ＧＲ又は／及び青成分の画素値ＢＲ）との差である第２の差分ＳＲを算出する。具体的には、例えば、第１の差分算出部３１Ｌは、以下の式（１３）に従って、第２の差分ＳＲを算出する。
【００７７】
ＳＲ＝ＲＲ−（ＧＲ＋ＢＲ）／２                                  （１３）
【００７８】
そして、第２の差分算出部３１Ｒは、算出した第２の差分ＳＲを示す信号を画素値変換部１１ｃの係数算出部３２の第２の係数算出部３２Ｒへ供給する。
なお、式（１３）は一例であって、第１の色成分と他の色成分との差が大きいほど、第１の差分ＳＲの絶対値が大きくなればよい。
【００７９】
画素値変換部１１ｃは、差分算出部３１から供給された第１の差分ＳＬを示す信号と、左目画像撮像部３Ｌから供給された左目画像信号ＲＧＢＬとに基づいて、左目用の変換後赤画素値Ｒ’Ｌを示す信号を生成する。
また、画素値変換部１１ｃは、差分算出部３１から供給された第２の差分ＳＲを示す信号と、右目画像撮像部３Ｒから供給された右目画像信号ＲＧＢＲとに基づいて、右目用の変換後緑画素値Ｇ’Ｒを示す信号と右目用の変換後青画素値Ｂ’Ｒを示す信号を生成する。以下、画素値変換部１１ｃが備える各部の処理を説明する。
【００８０】
係数算出部３２は、第１の係数算出部３２Ｌと第２の係数算出部３２Ｒとを備える。
第１の係数算出部３２Ｌは、第１の差分算出部３１Ｌから供給された第１の差分ＳＬに基づいて、第１の係数αＬを算出する。より詳細には、第１の係数算出部３２Ｌは、第１の差分ＳＬの絶対値が大きいほど、第１の係数αＬが大きくなるように第１の係数αＬを算出する。具体的には、例えば、第１の係数算出部３２Ｌは、以下の式（１４）に従って、第１の係数αＬを算出する。
【００８１】
αＬ＝ｋＬ｜ＳＬ｜                                              （１４）
【００８２】
ここで、ｋＬは正の数である。第１の係数算出部３２Ｌは、算出した第１の係数αＬを示す信号を赤変換部１２ｃへ供給する。
なお、式（１５）は一例であって、第１の差分ＳＬの絶対値が大きいほど、第１の係数αＬが大きくなればよい。
【００８３】
第２の係数算出部３２Ｒは、第２の差分算出部３１Ｒから供給された第２の差分ＳＲに基づいて、第２の係数αＲを算出する。より詳細には、第２の係数算出部３２Ｒは、第２の差分ＳＲの絶対値が大きいほど、第２の係数αＲが大きくなるように第２の係数αＲを算出する。具体的には、例えば、第２の係数算出部３２Ｒは、以下の式（１５）に従って、第２の係数αＲを算出する。
【００８４】
αＲ＝ｋＲ｜ＳＲ｜                                              （１５）
【００８５】
ここで、ｋＲは正の数である。第１の係数算出部３２Ｒは、算出した第２の係数αＲを示す信号を緑変換部１３ｃと青変換部１４ｃへ供給する。
なお、式（１６）は一例であって、第１の差分ＳＲの絶対値が大きいほど、第１の係数αＲが大きくなればよい。
【００８６】
赤変換部１２ｃは、第１の係数算出部３２Ｌから供給された第１の係数αＬを示す信号と左目画像撮像部３Ｌから供給された左目画像信号ＲＧＢＬとに基づいて、左目用の変換後赤画素値Ｒ’Ｌを示す信号を生成する。
具体的には、例えば、赤変換部１２ｃは、以下の処理により左目用の変換後赤画素値Ｒ’Ｌを示す信号を生成する。赤変換部１２ｃは、左目画像撮像部３Ｌから供給された左目画像信号ＲＧＢＬから左目画像の赤成分ＲＬと左目画像の緑成分ＧＬと左目画像の青成分ＢＬを抽出する。そして、赤変換部１２ｃは、第１の係数算出部３２Ｌから供給された第１の係数αＬが示す信号と左目画像の赤成分ＲＬと左目画像の緑成分ＧＬと左目画像の青成分ＢＬとに基づいて、左目用の変換後赤画素値Ｒ’Ｌを示す信号を生成する。具体的には、例えば、赤変換部１２ｃは、以下の式（１６）に従って、左目用の変換後赤画素値Ｒ’Ｌを算出する。
【００８７】
Ｒ’Ｌ＝ＲＬ−αＬ（ＲＬ−ＧＬ）−αＬ（ＲＬ−ＢＬ）         （１６）
【００８８】
そして、赤変換部１２ｃは、算出した左目用の変換後赤画素値Ｒ’Ｌを示す信号を信号合成部１５へ供給する。
続いて、緑変換部１３ｃは、第２の係数算出部から供給された第２の係数αＲを示す信号と右目画像撮像部３Ｒから供給された右目画像信号ＲＧＢＲとに基づいて、右目用の変換後緑画素値Ｇ’Ｒを示す信号を生成する。
【００８９】
具体的には、例えば、緑変換部１３ｃは、右目画像撮像部３Ｒから供給された右目画像信号ＲＧＢＲから右目画像の赤成分ＲＲと右目画像の緑成分ＧＲと右目画像の青成分ＢＲを抽出する。そして、第２の係数算出部から供給された第２の係数αＲが示す信号と右目画像の赤成分ＲＲと右目画像の緑成分ＧＲと右目画像の青成分ＢＲとに基づいて、右目用の変換後緑画素値Ｇ’Ｒを示す信号を生成する。具体的には、例えば、緑変換部１３ｃは、以下の式（１７）に従って、右目用の変換後緑画素値Ｇ’Ｒを算出する。
【００９０】
Ｇ’Ｒ＝ＧＲ−αＲ（ＧＲ−ＢＲ）−αＲ（ＧＲ−ＲＲ）        （１７）
【００９１】
そして、緑変換部１３ｃは、算出した右目用の変換後緑画素値Ｇ’Ｒを示す信号を信号合成部１５へ供給する。
続いて、青変換部１４ｃは、第２の係数算出部３２Ｒから供給された第２の係数αＲを示す信号と右目画像撮像部３Ｒから供給された右目画像信号ＲＧＢＲとに基づいて、右目用の変換後青画素値Ｂ’Ｒを示す信号を生成する。
【００９２】
具体的には、例えば、青変換部１４ｃは、右目画像撮像部３Ｒから供給された右目画像信号ＲＧＢＲから右目画像の赤成分ＲＲと右目画像の緑成分ＧＲと右目画像の青成分ＢＲを抽出する。そして、第２の係数算出部３２Ｒから供給された第２の係数αＲが示す信号と右目画像の赤成分ＲＲと右目画像の緑成分ＧＲと右目画像の青成分ＢＲとに基づいて、右目用の変換後青画素値Ｂ’Ｒを示す信号を生成する。具体的には、例えば、青変換部１４ｃは、以下の式（１８）に従って、右目用の変換後青画素値Ｂ’Ｒを算出する。
【００９３】
Ｂ’Ｒ＝ＢＲ−αＲ（ＢＲ−ＲＲ）−αＲ（ＢＲ−ＧＲ）        （１８）
【００９４】
そして、青変換部１４ｃは、算出した右目用の変換後青画素値Ｂ’Ｒを示す信号を信号合成部１５へ供給する。
信号合成部１５は、赤変換部１２ｃから供給された左目用の変換後赤画素値Ｒ’Ｌを示す信号と、緑変換部１３ｃから供給された右目用の変換後緑画素値Ｇ’Ｒを示す信号と、青変換部１４ｃから供給された右目用の変換後青画素値Ｂ’Ｒを示す信号とを合成する。
具体的には、信号合成部１５は、各画素において、赤成分を左目用の変換後赤画素値Ｒ’Ｌとし、緑成分を右目用の変換後緑画素値Ｇ’Ｒとし、青成分を右目用の変換後青画素値Ｂ’Ｒとする。信号合成部１５は、合成後の合成信号Ｒ’Ｇ’Ｂ’を記憶部４に記憶させる。
【００９５】
図１２は、図３の左目画像１０１と右目画像１０２が入力された場合に、第２の実施形態における画像処理部１０ｃから出力される画像の一例である。同図において、本実施形態の画像処理部１０ｃの出力画像１０５が示されている。
画像処理部１０の出力画像１０５中の符号「１」が付された太陽を模し画像領域は、図４における視野闘争対策のないアナグリフ画像１０３中の太陽マークよりも、赤成分の画素値とそれ以外の画素値との差が小さい。ゆえに、表示装置１の視聴者が、左目用の赤のフィルタと右目用のシアンのフィルタを備える眼鏡を通して、出力画像１０４中の符号「１」が付された太陽を模し画像領域を見た場合に、視野闘争がおこりにくい。
【００９６】
また、出力画像１０５中の符号「１」が付された太陽を模し画像領域の色相は、視野闘争対策のないアナグリフ画像１０３中の符号「１」が付された太陽を模し画像領域の色相と同一である。
更に、出力画像１０５中の背景は、図４における出力画像１０４中の背景より鮮やかさが維持されている。これは、出力画像１０５中の背景において、赤成分の画素値と他の色成分の画素値との差が小さいので、第１の係数αＬ又は第２の係数αＲが小さくなる。その結果、画素値変換部１１ｃは、赤成分の画素値と他の色成分の画素値との差及び他の色成分同士の画素値の差を小さくすることを軽減するので、各色成分の画素値が維持されるからである。
【００９７】
第２の実施形態における表示装置１ｃ全体の処理の流れは、第１の実施形態の表示装置１の処理の流れ（図５に示すもの）と比較して、ステップＳ１０２の「画像処理」を除いて、同一である。したがって、その全体の処理の流れの説明を省略し、以下で専ら「画像処理」の説明をする。
図１３は、第２の実施形態における画像処理の詳細を示すフローチャートである。
まず、差分算出部３１は、第１の差分信号ＳＬと第２の差分信号ＳＲを生成する（ステップＳ４０１）。次に、係数算出部３２は、第１の係数αＬと第２の係数αＲを算出する（ステップＳ４０２）。次に、画素値変換部１１ｃは、左目画像の赤信号を変換する（ステップＳ４０３）。また、それと並行して、画素値変換部１１ｃは、右目画像の緑信号と右目画像の青信号を変換する（ステップＳ４０４）。次に、信号合成部１５は、左目用の変換後赤画素値Ｒ’Ｌと、右目用の変換後緑画素値Ｇ’Ｒと、右目用の変換後青画素値Ｂ’Ｒを合成する（ステップＳ４０５）。
以上で、本フローチャートの処理を終了する。
【００９８】
本実施形態では、画像処理部１０ｃは、各画素の第１の色成分の画素値と他の色成分の画素値との差Ｓに基づいて、第１の色成分の画素値と他の色成分と画素値の差及び他の色成分同士の画素値の差を小さくする。
【００９９】
具体的には、画像処理部１０ｃは、各画素の第１の色成分の画素値と他の色成分の画素値との差Ｓが大きいほど、第１の係数αＬ及び第２の係数αＲを大きくすることにより、第１の色成分の画素値と他の色成分の画素値との差をより小さくし、かつ他の色成分同士の画素値の差をより小さくする。
これにより、第１の色成分の画素値と他の色成分の画素値との差が大きい画素では、色相を維持しながら第１の色成分の画素値と他の色成分の画素値との差を小さくできるので、視野闘争を軽減することができる。
【０１００】
また、第１の色成分の画素値と他の色成分の画素値との差が小さい画素では、画像処理部１０ｃは、第１の色成分の画素値と他の色成分の画素値との差を小さくしないので、色成分の差である鮮やかさが失われることを軽減することができる。すなわち、視野闘争が起こらない画素の鮮やかさが失われることを軽減することができる。
その結果、画像処理部１０ｃは、第１の色成分の画素値と他の色成分の画素値との差が大きい画素では、色相をずらさないで視野闘争を軽減することができ、更に、視第１の色成分の画素値と他の色成分の画素値との差が大きい画素では、鮮やかさを保ったアナグリフ画像を生成することができるので、視聴者が心地よく見ることができる。
【０１０１】
なお、画像処理部１０ｃは、各画素の第１の色成分の画素値と他の色成分の画素値との第１の差分ＳＬが予め決められた閾値Ｔｈ＿Ｓを越えた場合、第１の係数αＬを予め決められた定数ｃ（但し、０＜ｃ≦１／３）に設定してもよい。一方、第１の差分ＳＬが予め決められた閾値Ｔｈ＿Ｓ以下の場合、第１の係数αＬを０に設定してもよい。
また、画像処理部１０ｃは、各画素の第１の色成分の画素値と他の色成分の画素値との第２の差分ＳＲが予め決められた閾値Ｔｈ＿Ｓを越えた場合、第２の係数αＲを予め決められた定数ｃ（但し、０＜ｃ≦１／３）に設定してもよい。一方、第１の差分ＳＬが予め決められた閾値Ｔｈ＿Ｓ以下の場合、第２の係数αＲを０に設定してもよい。
【０１０２】
すなわり、画像処理部１０ｃは、各画素の第１の色成分の画素値と他の色成分の画素値との差Ｓが大きい場合、係数αＬ及び係数αＲを予め決められた定数ｃに設定することにより、フィルタ色成分（第１の色成分）の画素値と他の色成分の画素値との差を小さくする。また、画像処理部１０ｃは、上記と並行して、他の色成分同士の画素値の差を小さくする。
これにより、画像処理部１０ｃは、画素毎に、画素値との差Ｓが大きい画素すなわち視野闘争が起こりやすい画素のみに対して、画素値を補正するので、色の鮮やかさが失われることを軽減することができる。その結果、画像処理部１０ｃは、視聴者が心地よく見ることができるアナグリフ画像を生成することができる。
【０１０３】
＜第２の実施形態の変形例＞
続いて、第２の実施形態の変形例について説明する。
図１４は、第２の実施形態の変形例における表示装置１ｄの概略ブロック図である。
表示装置１ｄは、表示部７と、画像処理部１０ｄとを備える。
表示装置１ｄと図１０に示す表示装置１ｃとを比較すると、後者の画像処理部１０ｃが前者では画像処理部１０ｄとなっていて相違するが、表示部７は同じである。したがって、同じ構成のものの説明は省略する。
【０１０４】
図１５は、第２の実施形態の変形例における画像処理部１０ｄの概略ブロック図である。
画像処理部１０ｄは、色成分抽出部２０と、信号合成部１５と、画素値変換部１１ｄと、第３の差分算出部３４とを備える。色成分抽出部２０は、赤成分抽出部２１と、緑成分抽出部２２と、青成分抽出部２３とを備える。画素値変換部１１ｄは、第３の係数算出部３５と、変換部３６とを備える。図１５には、左目画像撮像部３Ｌと、右目画像撮像部３Ｒと、記憶部とを併せて示す。
画像処理部１０ｄは、画像処理部１０ｃ（図１１）の構成に対して、色成分抽出部２０が追加され、また、後者の差分算出部３１が前者では第３の差分算出部３４に変更されたものとなっており、また、後者の画素値変換部１１ｃが前者では画素値変換部１１ｄに変更されたものになっている。
色成分抽出部２０と信号合成部１５は、第１の実施形態の変形例（図８）における色成分抽出部２０と信号合成部１５と同じであるので、その説明を省略する。
【０１０５】
第３の差分算出部３４は、信号合成部１５から供給された合成信号ＲＧＢから各成分を抽出し、抽出した赤成分の画素値Ｒから、緑成分の画素値Ｇと青成分の画素値Ｂの平均を減算した第３の差分Ｓ３（＝Ｒ−（Ｇ＋Ｂ）／２）を算出する。第３の差分算出部３４は、算出した第３の差分Ｓ３を示す信号を画素値変換部１１ｄの第３の係数算出部３５へ供給する。
【０１０６】
画素値変換部１１ｄは、信号合成部１５から供給された合成信号ＲＧＢと、第３の差分算出部３４から供給された第３の差分Ｓ３を示す信号とに基づいて、変換後の合成信号Ｒ’Ｇ’Ｂ’を生成する。以下、画素値変換部１１ｄが備える第３の係数算出部３５と変換部３６の処理を説明する。
【０１０７】
第３の係数算出部３５は、第３の差分算出部３４から供給された第３の差分Ｓを示す信号に基づいて、第３の係数α３を算出する。例えば、第３の係数算出部３５は、第３の差分Ｓの絶対値が大きくなるほど、第３の係数α３を大きくする。具体的には、例えば、第３の係数算出部３５は、以下の式（１９）に従って、第３の係数α３を算出する。
【０１０８】
α３＝ｋ３｜Ｓ３｜                                              （１９）
【０１０９】
ここで、ｋ３は正の数である。そして、第３の係数算出部３５は、算出した係数αを示す信号を変換部３６へ供給する。
変換部３６は、第３の係数算出部３５から供給された第３の係数α３を示す信号と信号合成部１５から供給された合成信号ＲＧＢとに基づいて、変換後の信号Ｒ’Ｇ’Ｂ’を生成する。具体的には、例えば、変換部３６は、合成信号ＲＧＢの各成分に対して、以下の式（２０）〜（２２）に従って画素値の変換を施す。
【０１１０】
Ｒ’＝Ｒ−α３（Ｒ−Ｇ）−α３（Ｒ−Ｂ）                      （２０）
Ｇ’＝Ｇ−α３（Ｇ−Ｂ）−α３（Ｇ−Ｒ）                      （２１）
Ｂ’＝Ｂ−α３（Ｂ−Ｒ）−α３（Ｂ−Ｇ）                      （２２）
【０１１１】
ここで、Ｒは合成信号ＲＧＢの赤成分の画素値で、Ｇは合成信号ＲＧＢの緑成分の画素値で、Ｂは合成信号ＲＧＢの青成分の画素値である。
すなわち、変換部３６は、画素毎に、赤成分の画素値Ｒと赤以外の他の色成分の画素値（Ｇ又はＢ）との差、及び他の色成分同士の画素値（ＧとＢ）の差を、当該画素における同じ割合（１−３α３）で小さくする。
そして、変換部３６は生成した変換後の合成信号Ｒ’Ｇ’Ｂ’を記憶部４に記憶させる。
【０１１２】
第２の実施形態の変形例における表示装置１ｃ全体の処理の流れは、第１の実施形態の表示装置１の処理の流れ（図５に示すもの）と比較して、ステップＳ１０２の「画像処理」を除いて、同一である。したがって、その全体の処理の流れの説明を省略し、以下で専ら「画像処理」の説明をする。
図１６は、第２の実施形態の変形例における画像処理の詳細を示すフローチャートである。
まず、色成分抽出部２０は、左目画像の赤成分の画素値を示す信号と、右目画像の緑成分の信号及び青成分の信号を抽出する（ステップＳ５０１）。次に、信号合成部１５は、抽出した赤信号、緑信号及び青信号を合成する（ステップＳ５０２）。
次に、第３の差分算出部３４は、合成後の合成信号ＲＧＢに基づいて、各画素における第３の差分Ｓ３を算出する（ステップＳ５０３）。次に、第３の係数算出部３５は、第３の差分Ｓ３に基づいて、各画素における第３の係数α３を算出する（ステップＳ５０４）。
次に、変換部３６は、画素毎に、赤成分の画素値と赤以外の他の色成分の画素値との差、及び他の色成分同士の画素値の差を、同じ割合（１−３α３）で小さくする（ステップＳ５０５）。以上で、本フローチャートの処理を終了する。
【０１１３】
以上、第２の実施形態の変形例における画像処理部１０ｄは、各画素において、第１の色成分の画素値と他の色成分の画素値との差である第３の差分Ｓに基づいて、第１の色成分の画素値と他の色成分と画素値の差及び他の色成分同士の画素値の差を小さくする。
【０１１４】
具体的には、画像処理部１０ｄは、第１の色成分の画素値と他の色成分の画素値との差である第３の差分Ｓが大きいほど、第３の係数αを大きくするので、第１の色成分の画素値と他の色成分の画素値との差及び他の色成分同士の画素値の差が、同じ割合でより小さくする。
これにより、第１の色成分の画素値と他の色成分の画素値との差が大きい画素では、色相を維持しながら第１の色成分の画素値と他の色成分の画素値との差を小さくできるので、視野闘争を軽減することができる。
【０１１５】
また、第１の色成分の画素値と他の色成分の画素値との差が小さい画素では、画像処理部１０ｄは、第１の色成分の画素値と他の色成分の画素値との差を小さくしないので、色成分の差である鮮やかさが失われることを軽減することができる。すなわち、画像処理部１０ｄは、視野闘争が起こらない画素の鮮やかさが失われることを軽減することができる。その結果、画像処理部１０ｄは、視聴者が心地よく見ることができるアナグリフ画像を生成することができる。
【０１１６】
なお、画像処理部１０ｄは、各画素の第１の色成分（例えば、赤成分）の画素値と他の色成分の画素値との第３の差分Ｓが予め決められた閾値Ｔｈ＿Ｓを越えた場合、第３の係数を予め決められた定数ｃ（但し、０＜ｃ≦１／３）に設定してもよい。一方、第３の差分Ｓが予め決められた閾値Ｔｈ＿Ｓ以下の場合、第３の係数αを０に設定してもよい。
【０１１７】
この場合、画像処理部１０ｄは、各画素の第１の色成分の画素値と他の色成分の画素値との差Ｓが大きい場合、第３の係数αを予め決められた定数ｃに設定することにより、第１の色成分の画素値と他の色成分の画素値との差を小さくする。また、画像処理部（１０ｃ、１０ｄ）は、上記と並行して、他の色成分同士の画素値の差を小さくする。
【０１１８】
これにより、画像処理部１０ｄは、画素毎に、上記画素値の差Ｓが大きい画素すなわち視野闘争が起こりやすい画素に対して色相をずらさないで視野闘争を軽減し、上記画素値の差Ｓが小さい画素すなわち視野闘争が起こりにくい画素に対しては画素値を補正しないので、色の鮮やかさが失われることを軽減することができる。その結果、画像処理部１０ｄは、画素値の差Ｓが小さい画素については色相をずらさないで視野闘争を軽減し、画素値の差Ｓが大きい画素に対しては色の鮮やかさが失われることを軽減するので、視聴者が心地よくアナグリフ画像を見ることができる。
【０１１９】
＜第３の実施形態＞
続いて、第２の実施形態における表示装置１ｅについて説明する。図１７は、第３の実施形態における表示装置１ｅの概略ブロック図である。
表示装置１ｅは、表示部７と、画像処理部１０ｄとを備える。
図１７に示す表示装置１ｄと図１に示す表示装置１ａとを比較すると、後者の画像処理部１０が前者では画像処理部１０ｅとなっていて相違するが、表示部７は同じである。したがって、同じ構成のものの説明は省略する。
【０１２０】
図１８は、第３の実施形態における画像処理部１０ｅの概略ブロック図である。
画像処理部１０ｅは、画素値変換部１１ｅと、信号合成部１５と、奥行き算出部４１とを備える。画素値変換部１１ｅは、赤変換部１２ｅと、緑変換部１３ｅと、青変換部１４ｅとを備える。図１８には、左目画像撮像部３Ｌ、右目画像撮像部３Ｒ及び記憶部４も併せて示す。
画像処理部１０ｂを画像処理部１０（図２）と比較すると、前者には後者にはない奥行き算出部４１が付加されており、また、後者の画素値変換部１１ｅには、前者の画素値変換部１１にはない第４の係数算出部４２が付加されている点で相違する。しかし、前者の信号合成部１５の動作は、後者の信号合成部１５の動作と同じである。
【０１２１】
奥行き算出部４１は、同一の被写体を異なる二つの位置から撮像することにより得られた二つの画像信号（左目画像信号ＲＧＢＬと右目画像信号ＲＧＢＲ）を取得し、該取得した二つの画像信号の視差値に基づいて、画素毎に奥行きを示す奥行き情報Ｄを算出する。
より詳細には、奥行き算出部４１は、左目画像撮像部３Ｌから供給された左目画像信号ＲＧＢＬと右目画像撮像部３Ｒから供給された右目画像信号ＲＧＢＲとの視差値に基づいて、画素毎に奥行き情報Ｄを算出する。ここで、視差値は、その値が大きくなるほど手前に位置することを示す。奥行き情報Ｄは、一例として、その値が大きくなるほど被写体と撮像装置３との距離が長いことを示し、０から１の値を取るよう正規化されているものとする。また、本実施形態では、被写体と撮像部３との距離が長いことを奥に位置するといい、被写体と撮像部３との距離が短いことを手前に位置すると言う。
【０１２２】
具体的には、例えば、奥行き算出部４１は、左目画像信号ＲＧＢＬの各画素において、その画素に対応する右目画像信号ＲＧＢＲの画素を抽出し、抽出した画素の水平方向の座標と、左目画像信号ＲＧＢＬの当該画素の水平方向の座標の差である視差値を算出する。
そして、奥行き算出部４１は、例えば、算出した視差値を用いて、視差値が０のときすなわち撮像装置３と被写体との距離が無限大のときに１をとり、視差値が最大のときすなわち撮像装置３と被写体との距離がないときに０をとる奥行き情報Ｄを算出する。
そして、奥行き算出部４１は、算出した奥行き情報Ｄを画素値変換部１１ｅの後述する第４の係数算出部４２へ出力する。
【０１２３】
画素値変換部１１ｅは、奥行き算出部４１が算出した奥行き情報に基づいて、第１の色成分の画素値と他の色成分の画素値の差、及び他の色成分同士の画素値の差を小さくする。
具体的には、例えば、画素値変換部１１ｅは、奥行き情報が小さくなるほど第１の色成分の画素値と他の色成分の画素値の差、及び前記他の色成分同士の画素値の差を小さくする。
【０１２４】
第４の係数算出部４２は、奥行き算出部４１から入力された奥行き情報Ｄに基づいて、画素毎に、視野闘争抑制の程度を示す第４の係数α４を算出する。
例えば、第４の係数算出部４２は、画素毎に、奥行き情報Ｄが大きくなるほど、すなわち当該画素が奥に位置するほど、第４の係数α４を小さくする。
具体的には、例えば、第４の係数算出部４２は、以下の式（２３）に従って、第４の係数αを算出する。
【０１２５】
α４＝ｋ４｜１−Ｄ｜                                          （２３）
【０１２６】
ここで、ｋ４は予め決められた正の定数である。式（２４）は、奥行き情報Ｄが０以上１以下の範囲で大きくなるほど、第４の係数α４が小さくなる。
第４の係数算出部４２は、算出した第４の係数α４を示す信号を赤変換部１２ｅ、緑変換部１３ｅ及び青変換部１４ｅに供給する。
【０１２７】
赤変換部１２ｅは、左目画像撮像部３Ｌから供給された左目画像信号ＲＧＢＬと、第４の係数算出部４２から供給された第４の係数α４を示す信号とに基づいて、変換後の赤画素値Ｒ’Ｌを示す信号（以下、変換後赤信号とも称す）を生成する。具体的には、赤変換部１２ｅは、左目画像信号ＲＧＢＬから、左目画像の赤成分の画素値ＲＬと、左目画像の緑成分の画素値ＧＬと、左目画像の青成分の画素値ＢＬとを抽出する。そして、赤変換部１２ｅは、以下の式（２４）に従って、変換後の赤画素値Ｒ’Ｌを算出する。
【０１２８】
Ｒ’Ｌ＝ＲＬ−α４（ＲＬ−ＧＬ）−α４（ＲＬ−ＢＬ）        （２４）
【０１２９】
そして、赤変換部１２ｅは、変換後の赤画素値Ｒ’Ｌを示す信号を信号合成部１５へ供給する。
続いて、緑変換部１３ｅは、右目画像撮像部３Ｒから供給された右目画像信号ＲＧＢＲと、第４の係数算出部４２から供給された第４の係数α４を示す信号とに基づいて、変換後の緑画素値Ｇ’Ｒを示す信号（以下、変換後緑信号とも称す）を生成する。
【０１３０】
具体的には、緑変換部１３ｅは、右目画像信号ＲＧＢＲから、右目画像の赤成分の画素値ＲＬと、右目画像の緑成分の画素値ＧＲと、右目画像の青成分の画素値ＢＲとを抽出する。そして、緑変換部１３ｅは、以下の式（２５）に従って、変換後の緑画素値Ｇ’Ｌを算出する。
【０１３１】
Ｇ’Ｒ＝ＧＲ−α４（ＧＲ−ＢＲ）−α４（ＧＲ−ＲＲ）        （２５）
【０１３２】
そして、緑変換部１３ｅは、変換後緑信号を信号合成部１５へ供給する。
続いて、青変換部１４ｅは、右目画像撮像部３Ｒから供給された右目画像信号ＲＧＢＲと、第４の係数算出部４２から供給された第４の係数α４を示す信号とに基づいて、変換後の青画素値Ｂ’Ｒを示す信号（以下、変換後青信号とも称する）を生成する。
【０１３３】
具体的には、青変換部１４ｅは、右目画像信号ＲＧＢＲから、右目画像の赤成分の画素値ＲＬと、右目画像の緑成分の画素値ＧＲと、右目画像の青成分の画素値ＢＲとを抽出する。そして、青変換部１４ｅは、以下の式（２６）に従って、変換後の青画素値Ｂ’Ｌを算出する。４
【０１３４】
Ｂ’Ｌ＝ＢＬ−α４（ＢＬ−ＲＬ）−α４（ＢＬ−ＧＬ）        （２６）
【０１３５】
そして、青変換部１４ｅは、変換後青信号を信号合成部１５へ供給する。
第３の実施形態における表示装置１ｄ全体の処理の流れは、第１の実施形態の表示装置１の処理の流れ（図５に示すもの）と比較して、ステップＳ１０２の「画像処理」を除いて、同一である。したがって、その全体の処理の流れの説明を省略し、以下で専ら「画像処理」の説明をする。
【０１３６】
図１９は、第３の実施形態における画像処理の詳細を示すフローチャートである。
まず、奥行き算出部４１は、奥行き情報Ｄを算出する（ステップＳ６０１）。
次に、第４の係数算出部４２は、奥行き情報Ｄに基づいて第４の係数α４を算出する（ステップＳ６０２）。
次に、赤変換部１２ｅは、第４の係数α４に基づいて左目画像の赤画素値ＲＬを変換する（ステップＳ６０３）。
それと並行して、緑変換部１３ｅは、第４の係数α４に基づいて右目画像の緑画素値ＧＬを変換し、青変換部１４ｅは、第４の係数α４に基づいて右目画像の青画素値ＢＬを変換する（ステップＳ６０４）。
次に、信号合成部１５は、変換後赤信号、変換後緑信号及び変換後青信号を合成する（ステップＳ６０５）。
以上で、本フローチャートの処理を終了する。
【０１３７】
本実施形態の画像処理部１０ｅは、画素毎に、その画素に対応する被写体の位置が手前であるほど、第４の係数αを大きくする。そして、画像処理部１０ｅは、第４の係数αを大きくなるほど、第１の色成分の画素値と他の色成分の画素値との差、及び他の色成分同士の画素値の差を小さくする。
すなわち、画像処理部１０ｅは、画素毎に、その画素に対応する被写体の位置が手前であるほど、第１の色成分の画素値と他の色成分の画素値との差、及び他の色成分同士の画素値の差を小さくする。
【０１３８】
これにより、画像処理部１０ｅは、画像領域（オブジェクト）に対応する被写体の位置が手前であるほど画素値を補正するので、画像処理部１０ｅは、視野闘争が起こった場合に視聴者に与える影響が大きい手前に位置する被写体のオブジェクトに対して、において色相をずらすことなく視野闘争抑制の程度を大きくすることができる。
一方、画像処理部１０ｅは、視野闘争が起こった場合に視聴者に与える影響が小さい奥に位置する被写体のオブジェクトあるいは背景の画像領域に対して、視野闘争抑制の程度を小さくすることができる。ゆえに、画像処理部１０ｅは、手前の画像領域において色相をずらすことなく視野闘争を抑制しつつ、奥に位置する奥位置する被写体のオブジェクトあるいは背景のオブジェクトにおける色の鮮やかさを保つことができるので、視聴者が心地よくアナグリフ画像を見ることができる。
【０１３９】
＜第３の実施形態の変形例＞
続いて、第３の実施形態の変形例について説明する。
図２０は、第３の実施形態の変形例における表示装置１ｆの概略ブロック図である。
表示装置１ｆは、表示部７と、画像処理部１０ｆとを備える。
図２０に示す表示装置１ｄと図１７に示す表示装置１ｅとを比較すると、後者の画像処理部１０ｅが前者では画像処理部１０ｆとなっていて相違するが、表示部７は同じである。したがって、同じ構成のものの説明は省略する。
【０１４０】
図２１は、第３の実施形態の変形例における画像処理部１０ｆの概略ブロック図である。
画像処理部１０ｆは、色成分抽出部２０と、信号合成部１５と、画素値変換部１１ｆと、奥行き算出部４１とを備える。色成分抽出部２０は、赤成分抽出部２１と、緑成分抽出部２２と、青成分抽出部２３とを備える。画素値変換部１１ｆは、変換部３６ｆと、第４の係数算出部４２ｆとを備える。図２１には、左目画像撮像部３Ｌ、右目画像撮像部３Ｒも併せて示す。
【０１４１】
色成分抽出部２０は、第１の実施形態の変形例（図８）における色成分抽出部２０と同じであるので、その説明を省略する。
画素値変換部１１ｆは、奥行き算出部４１から供給された奥行き情報Ｄと、信号合成部１５から供給された合成信号ＲＧＢとに基づいて、変換後の合成信号Ｒ’Ｇ’Ｂ’を生成する。以下、画素値変換部１１ｆが備える第４の係数算出部４２ｆと変換部３６ｆの処理を説明する。
【０１４２】
第４の係数算出部４２ｆは、第３の実施形態における第４の係数算出部４２（図１８）と同一の処理で、第４の係数αを算出する。第４の係数算出部４２ｆは、算出した第４の係数αを示す信号を変換部３６ｆへ供給する。
【０１４３】
変換部３６ｆは、第２の実施形態の変形例における変換部３６（図１５）と同様の処理で、変換後の合成信号Ｒ’Ｇ’Ｂ’を生成する。
変換部３６ｆは、第４の係数算出部４２ｆから供給された第４の係数α４と、信号合成部１５から供給された合成信号ＲＧＢとに基づいて、変換後の合成信号Ｒ’Ｇ’Ｂ’を生成する。
具体的には、例えば、変換部３６ｆは、合成信号ＲＧＢの各成分に対して、以下の式（２７）〜（２９）に従って画素値の変換を施す。
【０１４４】
Ｒ’＝Ｒ−α４（Ｒ−Ｇ）−α４（Ｒ−Ｂ）                      （２７）
Ｇ’＝Ｇ−α４（Ｇ−Ｂ）−α４（Ｇ−Ｒ）                      （２８）
Ｂ’＝Ｂ−α４（Ｂ−Ｒ）−α４（Ｂ−Ｇ）                      （２９）
【０１４５】
すなわち、変換部３６ｆは、画素毎に、赤成分の画素値Ｒと赤以外の他の色成分の画素値（Ｇ又はＢ）との差、及び他の色成分同士の画素値（ＧとＢ）の差を、当該画素における第４の係数α４の割合で小さくする。
そして、変換部３６ｆは、変換後の合成信号Ｒ’Ｇ’Ｂ’を記憶部４に記憶させる。
【０１４６】
第３の実施形態の変形例における表示装置１ｆ全体の処理の流れは、第１の実施形態の表示装置１の処理の流れ（図５に示すもの）と比較して、ステップＳ１０２の「画像処理」を除いて、同一である。したがって、その全体の処理の流れの説明を省略し、以下で専ら「画像処理」の説明をする。
図２２は、第３の実施形態の変形例における画像処理の詳細を示すフローチャートである。
まず、色成分抽出部２０は、左目画像の赤成分の画素値を示す信号と、右目画像の緑成分の画素値ＧＲを示す信号及び青成分の画素値ＢＲを示す信号を抽出する（ステップＳ７０１）。
次に、信号合成部１５は、抽出した信号を１つの合成信号に合成する（ステップＳ７０２）。
【０１４７】
ステップＳ７０１〜Ｓ７０２に並行して、奥行き算出部４１は、左目画像信号ＲＧＢＬと右目画像信号ＲＧＢＲに基づいて各画素における奥行き情報Ｄを算出し（ステップＳ７０３）、第４の係数算出部４２ｆは、奥行き情報Ｄに基づいて各画素における第４の係数α４を算出する（ステップＳ５０４）。
次に、変換部３６ｆは、画素毎に、赤成分の画素値と赤以外の他の色成分の画素値との差、及び他の色成分同士の画素値の差を、同じ割合（１−３α４）で小さくする（ステップＳ７０５）。
以上で、本フローチャートの処理を終了する。
【０１４８】
以上、本実施形態の画像処理部１０ｆは、画素毎に、その画素に対応する被写体の位置が手前であるほど、第４の係数αを大きくする。そして、画像処理部１０ｆは、第４の係数α４が大きくなるほど、第１の色成分の画素値と他の色成分の画素値との差、及び他の色成分同士の画素値の差を小さくする。すなわち、画像処理部１０ｆは、画素毎に、その画素に対応する被写体の位置が手前であるほど、第１の色成分の画素値と他の色成分の画素値との差、及び他の色成分同士の画素値の差を小さくする。
【０１４９】
これにより、画像処理部１０ｆは、画素毎に、その画素に対応する被写体の位置が手前であるほど画素値を補正するので、画像処理部１０ｆは、視野闘争が起こった場合に視聴者に与える影響が大きい手前に位置する被写体に対応するオブジェクトに対して、色相をずらすことなく視野闘争抑制の程度を大きくすることができる。
一方、画像処理部１０ｆは、視野闘争が起こった場合に視聴者に与える影響が小さい奥に位置する被写体に対応するオブジェクトあるいは背景のオブジェクトに対して、視野闘争抑制の程度を小さくすることができる。ゆえに、画像処理部１０ｆは、手前の画像領域において色相をずらすことなく視野闘争を抑制しつつ、奥に位置する画像領域における色の鮮やかさを保つことができるので、視聴者が心地よくアナグリフ画像を見ることができる。
【０１５０】
なお、第３の実施形態又は第３の実施形態の変形例では、奥行き算出部４１が奥行き情報Ｄを算出したが、これに限らず、左目画像信号と右目画像信号に加えて奥行き情報Ｄが画像処理部（１０ｅ、１０ｆ）に入力されてもよい。
【０１５１】
また、第３の実施形態又は第３の実施形態の変形例における画像処理部（１０ｅ、１０ｆ）は、奥行き情報Ｄが予め決められた閾値Ｔｈ＿Ｄ以下の場合、第１の色成分の画素値と他の色成分の画素値の差、及び他の色成分同士の画素値の差を小さくしてもよい。また、一方、画像処理部（１０ｅ、１０ｆ）は、奥行き情報Ｄが予め決められた閾値Ｔｈ＿Ｄより大きい場合、第１の色成分の画素値と他の色成分の画素値の差、及び他の色成分同士の画素値の差を変更しないようにしてもよい。
【０１５２】
これにより、画像処理部（１０ｅ、１０ｆ）は、画素毎に、その画素に対応する被写体の位置が予め決められた基準よりも手前でにある場合、当該画素の画素値を補正するので、被写体が手前に位置して視野闘争が目立ちやすい画像領域の視野闘争を抑制する。一方、画像処理部（１０ｅ、１０ｆ）は、画素毎に、その画素に対応する被写体の位置が予め決められた基準よりも奥に位置する場合、当該画素の画素値を補正しないことにより、奥に位置して視野闘争が目立ちにくい画像領域の視野闘争を抑制せずにその画素の色の鮮やかさを保つことができる。その結果、画像処理部（１０ｅ、１０ｆ）は、被写体が手前に位置する画像領域において色相をずらすことなく視野闘争を抑制しつつ、被写体が奥に位置する画像領域における色の鮮やかさを保つことができる。
【０１５３】
なお、第３の実施形態において、画像処理部（１０ｅ、１０ｆ）は、奥行き情報に基づいて、第１の色成分の画素値と他の色成分の画素値の差、及び他の色成分同士の画素値の差を小さくしたが、これに限ったものではない。
画像処理部（１０ｅ、１０ｆ）は、奥行き情報Ｄと、第１の色成分の画素値と他の色成分の画素値の差とに基づいて、第１の色成分の画素値と他の色成分の画素値の差、及び他の色成分同士の画素値の差を小さくしてもよい。具体的には、例えば、画像処理部（１０ｅ、１０ｆ）は、画素毎にその画素の被写体が手前に位置し、かつ第１の色成分の画素値と他の色成分の画素値の差が大きいほど、第１の色成分の画素値と他の色成分の画素値の差、及び他の色成分同士の画素値の差を小さくしてもよい。
【０１５４】
これにより、画像処理部（１０ｅ、１０ｆ）は、手前に位置する被写体の画像領域において、第１の色成分の画素値と他の色成分の画素値の差が大きい画素において、視野闘争抑制の程度を大きくして視野闘争を抑制する。一方、画像処理部（１０ｅ、１０ｆ）は、手前に位置する被写体の画像領域において、第１の色成分の画素値と他の色成分の画素値の差が小さい画素において、視野闘争抑制の程度を小さくして色の鮮やかさを保つことができる。
また、画像処理部（１０ｅ、１０ｆ）は、奥に位置する被写体の画像領域において、色の鮮やかさを保ちつつ、第１の色成分の画素値と他の色成分の画素値の差が大きい画素において視野闘争を抑制することができる。
【０１５５】
＜第４の実施形態＞
続いて、第４の実施形態における撮像装置５０について説明する。図２３は、第４の実施形態における撮像装置５０の概略ブロック図である。撮像装置５０は、撮像部５１と、画像処理部１０と、記憶部５２と、表示部５３とを備える。また、撮像部５１は、左目画像撮像部３Ｌと、右目画像撮像部３Ｒとを備える。
【０１５６】
左目画像撮像部３Ｌは、第１の実施形態と同様に、被写体を撮像して左目画像を生成し、生成した画像の赤成分、緑成分及び青成分の各成分の画素値を示す左目画像信号ＲＧＢＬを画像処理部１０へ供給する。
また、右目画像撮像部３Ｒは、第１の実施形態と同様に、被被写体を撮像して右目画像を生成し、生成した画像の各成分の画素値を示す右目画像信号ＲＧＢＲを画像処理部１０へ供給する。
【０１５７】
画像処理部１０の処理は、第１の実施形態の画像処理部１０の処理と同一である。画像処理部１０は、左目画像撮像部３Ｌから供給された左目画像信号ＲＧＢＬと、右目画像撮像部３Ｒから供給された右目画像信号ＲＧＢＲとに基づいて、変換後の画像信号Ｒ’Ｇ’Ｂ’を生成する。そして、画像処理部１０は、生成した変換後の画像信号Ｒ’Ｇ’Ｂ’を記憶部５２に記憶させる。また、画像処理部１０は、生成した変換後の画像信号Ｒ’Ｇ’Ｂ’を表示部５３に供給する。
表示部７は、画像処理部１０から供給された変換後の画像信号Ｒ’Ｇ’Ｂ’を表示する。
【０１５８】
なお、本実施形態における撮像装置５０は、第１の実施形態の画像処理部１０を備えることとしたが、これに限ったものではなく、第１の実施形態の画像処理部１０に代わりに上述した各実施形態の画像処理部（１０ｂ〜１０ｆ）のいずれか一つを備えていてもよい。
【０１５９】
＜第５の実施形態＞
続いて、第５の実施形態における撮像装置５０について説明する。図２４は、第５の実施形態における印刷装置６０の概略ブロック図である。印刷装置６０は、通信部６１と、記憶部６２と、信号分解部６３と、画像処理部１０と、信号合成部６４と、印刷部６５とを備える。
【０１６０】
通信部６１は、不図示のコンピュータから送信された左目画像ＣＹＭＫＬと右目画像ＣＹＭＫＲとを受信する。ここで、左目画像信号ＣＹＭＫＬと右目画像信号ＣＹＭＫＲは共にＣＭＹＫ（Ｃｙａｎ−Ｍａｇｅｎｔａ−Ｙｅｌｌｏｗ−Ｋｅｙ）形式である。通信部６１は、受信した左目画像信号ＣＹＭＫＬと右目画像信号ＣＹＭＫＲとを記憶部６２に記憶させる。
【０１６１】
信号分解部６３は、記憶部６２に記憶された左目画像信号ＣＹＭＫＬと右目画像信号ＣＹＭＫＲを読み出す。信号分解部６３は、読み出した左目画像信号ＣＹＭＫＬを、左目色成分信号ＣＹＭＬと左目明度信号ＫＬとに分解する。また、信号分解部６３は、読み出した右目画像信号ＣＹＭＫＲを、右目色成分信号ＣＹＭＲと右目明度信号ＫＲとに分解する。そして、信号分解部６３は、分解により得られた左目色成分信号ＣＹＭＬと右目色成分信号ＣＹＭＲを画像処理部１０へ供給する。
【０１６２】
また、信号分解部６３は、分解により得られた左目明度信号ＫＬを明度信号Ｋとして信号合成部６４へ供給する。
なお、信号分解部６３は、左目明度信号ＫＬの代わりに、右目明度信号ＫＲを明度信号Ｋとして信号合成部６４へ供給してもよい。
【０１６３】
画像処理部１０は、第１の実施形態の画像処理部１０と同様の処理で、信号分解部６３から供給された左目色成分信号ＣＹＭＬと右目色成分信号ＣＹＭＲとに基づいて、変換後の画像信号Ｃ’Ｍ’Ｙ’を生成する。ここで、本実施形態の画像処理部１０の処理は、第１の実施形態の画像処理部１０の赤成分に対する処理をシアン成分に対する処理へ、緑成分に対する処理をマゼンタ成分に対する処理へ、青成分に対する処理を黄成分に対する処理へ変更したものになっている。
そして、画像処理部１０は、生成した変換後の画像信号Ｃ’Ｍ’Ｙ’を信号合成部６４へ供給する。
【０１６４】
信号合成部６４は、画像処理部１０から供給された変換後の画像信号Ｃ’Ｍ’Ｙ’と、信号分解部６３から供給された明度信号Ｋとを合成し、合成信号Ｃ’Ｍ’Ｙ’Ｋを生成する。そして、信号合成部６４は、生成した合成信号Ｃ’Ｍ’Ｙ’Ｋを印刷部６５に供給する。
印刷部６５は、信号合成部６４から供給された合成信号Ｃ’Ｍ’Ｙ’Ｋに従って、印刷する。
【０１６５】
なお、本実施形態における印刷装置６０は、第１の実施形態の画像処理部１０を備えることとしたが、これに限ったものではなく、第１の実施形態の画像処理部１０に代わりに上述した各実施形態の画像処理部（１０ｂ〜１０ｆ）のいずれか一つを備えていてもよい。
【０１６６】
また、各実施形態の画素値変換部（１１〜１１ｆ）は、第１の色成分の画素値と他の色成分のうち少なくとも一方の画素値との差及び他の色成分同士の画素値の差を、同じ割合で小さくしたがこれに限らず、類似した割合で小さくしてもよい。これにより、画素値変換部（１１〜１１ｆ）は、色相のずれを軽減しつつ第１の色成分の画素値と他の色成分の画素値との差を小さくできるので、色相のずれを軽減しつつ視野闘争を軽減することができる。
【０１６７】
更に、各実施形態の画素値変換部（１１〜１１ｆ）は、第１の色成分の画素値と他の色成分のうち少なくとも一方の画素値との差及び他の色成分同士の画素値の差を、少なくとも小さくすればよく、類似していない割合同士で小さくしてもよい。
すなわち、各実施形態の画素値変換部（１１〜１１ｆ）は、画像に含まれる画素毎に、第１の色成分の画素値と第１の色成分以外の他の色成分のうち少なくとも一方の画素値との差を小さくし、かつ他の色成分同士の画素値の差を小さくすればよい。
これにより、画素値変換部（１１〜１１ｆ）は、色相のずれを軽減しつつ第１の色成分の画素値と他の色成分の画素値との差を小さくできるので、色相のずれを軽減しつつ視野闘争を軽減することができる。
【０１６８】
また、各実施形態において、第１の色成分を予め決められた色（一例として、赤）としたが、これに限らず、第１の色成分を色成分のうちで最も画素値が高い色成分としてもよい。すなわち、各実施形態の画素値変換部（１１〜１１ｆ）は、画像に含まれる画素毎に、色成分のうちで最も画素値が高い第１の色成分の画素値と第１の色成分以外の他の色成分のうち少なくとも一方の画素値との差を小さくし、かつ他の色成分同士の画素値の差を小さくしてもよい。
【０１６９】
また、第１の色成分を色成分のうちで最も画素値が高い色成分とし、第２の色成分を色成分のうちで最も画素値が低い色成分としてもよい。その場合、各実施形態の画素値変換部（１１〜１１ｆ）は、画像に含まれる画素毎に、色成分のうちで最も画素値が高い第１の色成分の画素値と色成分のうちで最も画素値が低い第２の画素値との差を小さくし、かつ第１の色成分以外の他の色成分同士の画素値の差を小さくしてもよい。
【０１７０】
また、各実施形態において、画素値変換部（１１〜１１ｆ）は、赤成分と緑成分の画素値差を小さくし、緑成分と青成分の画素値差を小さくした結果、青成分と赤成分の画素値差が大きくなる場合がある。その場合の処理において、画素値変換部（１１〜１１ｆ）は、上記の処理と等価な処理として、上記の処理の代わりに、以下の２つの処理のうちいずれかの処理を行ってもよい。
まず、第１の色成分を青成分とした場合に、上記の処理の代わりに、画素値変換部（１１〜１１ｆ）は、第１の色成分である青成分の画素値と赤成分の画素値差を大きくし、かつ緑成分と青成分の画素値差を小さくしてもよい。
一方、第１の色成分を緑成分とした場合に、上記の処理の代わりに、画素値変換部（１１〜１１ｆ）は、第１の色成分である緑成分の画素値と赤成分の画素値差を小さくし、青成分の画素値と赤成分の画素値差を大きくしてもよい。
【０１７１】
すなわち、各実施形態の画素値変換部（１１〜１１ｆ）は、画像に含まれる画素毎に、第１の色成分の画素値と該第１の色成分以外の他の色成分のうち少なくとも一方の画素値との差を変更し、かつ前記他の色成分同士の画素値の差を変更してもよい。
【０１７２】
また、各実施形態の画像処理部（１０〜１０ｆ）は、表示装置（１〜１ｆ）、撮像装置５０又は印刷装置６０の一部として説明したが、これに限らず、画像処理装置という一つの装置として実現してもよい。
【０１７３】
また、各実施形態の画像処理部（１０〜１０ｆ）の各処理を実行するための画像処理プログラムをコンピュータ読み取り可能な記録媒体に記録して、当該記録媒体に記録されたプログラムをコンピュータシステムに読み込ませ、実行することにより、画像処理部（１０ａ〜１０ｆ）に係る上述した種々の処理を行ってもよい。
【０１７４】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１７５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１７６】
以上、本発明の実施形態について図面を参照して詳述したが、具体的な構成はこの実施形態に限られるものではなく、この発明の要旨を逸脱しない範囲の設計等も含まれる。
【符号の説明】
【０１７７】
１、１ｂ、１ｃ、１ｄ、１ｅ、１ｆ  表示装置
３  撮像部
３Ｌ  左目画像撮像部
３Ｒ  右目画像撮像部
７  表示部
１０、１０ｂ、１０ｃ、１０ｄ、１０ｅ、１０ｆ  画像処理部
１１、１１ｂ、１１ｃ、１１ｄ、１１ｅ、１１ｆ  画素値変換部
１２、１２ｃ、１２ｅ  赤変換部
１３、１３ｃ、１３ｅ  緑変換部
１４、１４ｃ、１４ｅ  青変換部
１５  信号合成部
２０  色成分抽出部
２１  赤成分抽出部
２２  緑成分抽出部
２３  青成分抽出部
３１  差分算出部
３１Ｌ  第１の差分算出部
３１Ｒ  第２の差分算出部
３２  係数算出部
３２Ｌ  第１の係数算出部
３２Ｒ  第２の係数算出部
３４  第３の差分算出部
３５  第３の係数算出部
３６、３６ｆ  変換部
４１  奥行き算出部
４２、４２ｆ  第４の係数算出部
５０  撮像装置
５１  撮像部
５２  記憶部
５３  表示部
６０  印刷装置
６１  通信部
６２  記憶部
６３  信号分解部
６４  信号合成部
６５  印刷部
【図１】
2013102384.tif 000003
【図２】
2013102384.tif 000004
【図５】
2013102384.tif 000005
【図６】
2013102384.tif 000006
【図７】
2013102384.tif 000007
【図８】
2013102384.tif 000008
【図９】
2013102384.tif 000009
【図１０】
2013102384.tif 000010
【図１１】
2013102384.tif 000011
【図１３】
2013102384.tif 000012
【図１４】
2013102384.tif 000013
【図１５】
2013102384.tif 000014
【図１６】
2013102384.tif 000015
【図１７】
2013102384.tif 000016
【図１８】
2013102384.tif 000017
【図１９】
2013102384.tif 000018
【図２０】
2013102384.tif 000019
【図２１】
2013102384.tif 000020
【図２２】
2013102384.tif 000021
【図２３】
2013102384.tif 000022
【図２４】
2013102384.tif 000023
【図３】
2013102384.tif 000024
【図４】
2013102384.tif 000025
【図１２】
2013102384.tif 000026